(57)【要約】      （修正有）【課題】無効電力の消費を低減し、簡単な構造を有するプラズマディスプレイ装置を提供する。【解決手段】第１スキャンモジュール１５０及び第２スキャンモジュール１６０は、アドレス期間中にスキャンバイアス電圧が供給され、サステイン期間中に第１電圧が供給される第１端子Ｔ１と、アドレス期間中にスキャン電圧が供給され、サステイン期間中に第１電圧より低い第２電圧が供給される第２端子Ｔ２と、サステイン期間中に漸進的に第１電圧まで立ち上がる電圧、または、漸進的に第１電圧から立ち下がる電圧が供給される一つ以上の第３端子Ｔ３とを含む。第１スキャンモジュール１５０は、第１スキャン電極Ｙ１に接続された第４端子Ｔ４を含み、第２スキャンモジュール１６０は第２スキャン電極Ｙ２に接続された第４端子Ｔ４を含む。【選択図】図１
2008040508.tif 000002
【特許請求の範囲】
【請求項１】
第１スキャン電極及び第２スキャン電極を含むプラズマディスプレイパネルと、
アドレス期間中にスキャンバイアス電圧が供給され、サステイン期間中に第１電圧が供給される第１端子と、前記アドレス期間中にスキャン電圧が供給され、前記サステイン期間中に前記第１電圧より低い第２電圧が供給される第２端子と、前記サステイン期間中に漸進的に前記第１電圧まで立ち上がる電圧、または、漸進的に前記第１電圧から立ち下がる電圧が供給される一つ以上の第３端子とを含む第１スキャンモジュール及び第２スキャンモジュールとを含み、
前記第１スキャンモジュールは、前記第１スキャン電極に接続された第４端子を含み、
前記第２スキャンモジュールは、前記第２スキャン電極に接続された第４端子を含むことを特徴とするプラズマディスプレイ装置。
【請求項２】
前記第１スキャンモジュールと前記第２スキャンモジュールのうち少なくとも一方では、前記サステイン期間の少なくとも一部の期間において、前記第１スキャン電極と前記第２スキャン電極のうち少なくとも一方に、前記第１電圧まで漸進的に立ち上がり、前記第１電圧から漸進的に立ち下がるサステイン信号を供給することを特徴とする、請求項１記載のプラズマディスプレイ装置。
【請求項３】
前記第１電圧はサステイン電圧と実質的に同一であり、
前記第２電圧はグラウンドレベルの電圧と実質的に同一であることを特徴とする、請求項１記載のプラズマディスプレイ装置。
【請求項４】
前記第１スキャン電極は奇数番目のスキャン電極であり、
前記第２スキャン電極は偶数番目のスキャン電極であることを特徴とする、請求項１記載のプラズマディスプレイ装置。
【請求項５】
複数個の前記第１スキャンモジュール及び前記第２スキャンモジュールは、複数個の前記第１スキャン電極と第２スキャン電極にそれぞれ接続され、
前記複数個の第１スキャンモジュールは、前記複数個の第１スキャン電極に前記サステイン信号を供給し、
前記複数個の第２スキャンモジュールは、前記複数個の第２スキャン電極に前記第２電圧を供給することを特徴とする、請求項２記載のプラズマディスプレイ装置。
【請求項６】
複数個のサブフィールドにおいて、前記第１スキャンモジュールが前記サステイン信号を供給する期間は、前記第２スキャンモジュールが前記サステイン信号を供給する期間と互いに異なることを特徴とする、請求項２記載のプラズマディスプレイ装置。
【請求項７】
前記第１スキャンモジュール及び前記第２スキャンモジュールの第３端子はインダクタに接続されることを特徴とする、請求項１記載のプラズマディスプレイ装置。
【請求項８】
前記第１スキャンモジュール及び前記第２スキャンモジュールの第３端子のそれぞれは、第１インダクタ及び第２インダクタに接続されることを特徴とする、請求項１記載のプラズマディスプレイ装置。
【請求項９】
前記第１インダクタのインダクタンスは前記第２インダクタのインダクタンスと異なることを特徴とする、請求項８記載のプラズマディスプレイ装置。
【請求項１０】
前記第１スキャンモジュールおよび／または前記第２スキャンモジュールは二つの第３端子を含み、
第１スイッチ及び第２スイッチが前記第１スキャンモジュールおよび／または前記第２スキャンモジュールの外部に位置し、
前記第１スイッチの一方端は、前記第１スキャンモジュールおよび／または前記第２スキャンモジュールの一つの第３端子に接続され、前記第１スイッチの他方端は第１インダクタに接続され、
前記第２スイッチの一方端は、前記第１スキャンモジュールおよび／または前記第２スキャンモジュールの他の一つの第３端子に接続され、前記第２スイッチの他方端は、第２インダクタに接続されることを特徴とする、請求項１記載のプラズマディスプレイ装置。
【請求項１１】
前記第１スキャンモジュールおよび／または前記第２スキャンモジュールは二つの第３端子を含み、
第１ダイオード及び第２ダイオードは、前記第１スキャンモジュール及び前記第２スキャンモジュールの外部に位置し、
前記第１ダイオードのカソード端及びアノード端のそれぞれは、一つの第３端子及び第１インダクタに接続され、
前記第２ダイオードのカソード端及びアノード端のそれぞれは、第２インダクタ及び他の一つの第３端子に接続されることを特徴とする、請求項１記載のプラズマディスプレイ装置。
【請求項１２】
前記第１スキャンモジュール及び前記第２スキャンモジュールはスキャンドライブＩＣに集積され、
前記第１ダイオードと前記第２ダイオードは前記スキャンドライブＩＣの外部に位置することを特徴とする請求項１１記載のプラズマディスプレイ装置。
【請求項１３】
前記第１スキャンモジュール及び前記第２スキャンモジュールの第１端子は互いに接続され、
前記第１スキャンモジュール及び前記第２スキャンモジュールの第３端子は互いに接続され、
前記第１スキャンモジュールの第１端子に接続される一方端と、前記第２スキャンモジュールの第３端子に接続される他方端とを有する第１外部スイッチをさらに含むことを特徴とする、請求項１記載のプラズマディスプレイ装置。
【請求項１４】
前記第１スキャンモジュール及び前記第２スキャンモジュールの第２端子は互いに接続され、
前記第１スキャンモジュール及び前記第２スキャンモジュールの第３端子は互いに接続され、
前記第１スキャンモジュールの第２端子に接続される一方端と、前記第２スキャンモジュールの第３端子に接続される他方端とを有する第２外部スイッチをさらに含むことを特徴とする、請求項１記載のプラズマディスプレイ装置。
【請求項１５】
前記第１スキャンモジュール及び前記第２スキャンモジュールの第１端子は互いに接続され、
前記第１スキャンモジュール及び前記第２スキャンモジュールの第３端子は互いに接続され、
前記第２スキャンモジュールの第３端子に接続される一方端と、前記第１電圧まで漸進的に立ち上がる電圧が供給される他方端とを有する第１サステインスイッチをさらに含むことを特徴とする、請求項１記載のプラズマディスプレイ装置。
【請求項１６】
前記第１スキャンモジュール及び前記第２スキャンモジュールの第２端子は互いに接続され、
前記第１スキャンモジュール及び前記第２スキャンモジュールの第３端子は互いに接続され、
前記第２スキャンモジュールの第３端子に接続される一方端と、前記第１電圧まで漸進的に立ち下がる電圧が供給される他方端とを有する第２サステインスイッチをさらに含むことを特徴とする、請求項１記載のプラズマディスプレイ装置。
【発明の詳細な説明】
【技術分野】
【０００１】
本発明はプラズマディスプレイ装置に関する。
【背景技術】
【０００２】
プラズマディスプレイ装置は画像を表示するプラズマディスプレイパネルと、プラズマディスプレイパネルを駆動する駆動部とを含む。プラズマディスプレイパネルはソーダライム（Ｓｏｄａ−ｌｉｍｅ）ガラスからなる前面基板と背面基板とで構成される。前面基板と背面基板との間には、放電セルを区切るために隔壁が形成される。放電セル内部に注入された不活性ガスは高周波電圧によって放電を起こす。放電によって真空紫外線（Ｖａｃｕｕｍ  Ｕｌｔｒａｖｉｏｌｅｔ  ｒａｙｓ）が発生して、真空紫外線が隔壁の間に形成された蛍光体を発光させることで画像が具現される。駆動部はプラズマディスプレイパネルの電極に駆動信号を供給することによりプラズマディスプレイパネルで放電を発生させる。
【０００３】
プラズマディスプレイ装置の駆動部は、サステイン期間ですべてのスキャン電極にサステイン信号を供給する。これにより無効電力の消費が増加するという問題が発生する。
【０００４】
また、駆動部はサステイナとスキャンドライブＩＣが互いに分離しているので、回路構成が複雑である。
【発明の開示】
【発明が解決しようとする課題】
【０００５】
本発明の目的は、無効電力の消費を低減することができるプラズマディスプレイ装置を提供することにある。
【０００６】
本発明の他の目的は、簡単な構造を有するプラズマディスプレイ装置を提供することにある。
【課題を解決するための手段】
【０００７】
本発明のプラズマディスプレイ装置は、第１スキャン電極及び第２スキャン電極を含むプラズマディスプレイパネルと、アドレス期間中にスキャンバイアス電圧が供給され、サステイン期間中に第１電圧が供給される第１端子と、アドレス期間中にスキャン電圧が供給され、サステイン期間に第１電圧より低い第２電圧が供給される第２端子と、サステイン期間中に漸進的に前記第１電圧まで立ち上がる電圧、または、漸進的に前記第１電圧から立ち下がる電圧が供給される一つ以上の第３端子とを含む第１スキャンモジュール及び第２スキャンモジュールを含み、第１スキャンモジュールは、前記第１スキャン電極に接続された第４端子を含み、第２スキャンモジュールは前記第２スキャン電極に接続された第４端子を含む。
【０００８】
第１スキャンモジュールと第２スキャンモジュールの内、少なくとも一つはサステイン期間の少なくとも一部の期間において第１スキャン電極と第２スキャン電極の内、少なくとも一つに第１電圧まで漸進的に立ち上がり、第１電圧から漸進的に立ち下がるサステイン信号を供給してもよい。
【０００９】
第１電圧はサステイン電圧と実質的に同一であり、第２電圧はグラウンドレベルの電圧と実質的に同一であってもよい。
【００１０】
第１スキャン電極は奇数番目のスキャン電極であり、第２スキャン電極は偶数番目のスキャン電極であってもよい。
【００１１】
複数個の第１スキャンモジュール及び第２スキャンモジュールは、複数個の第１スキャン電極と第２スキャン電極にそれぞれ接続され、複数個の第１スキャンモジュールは複数個の第１スキャン電極にサステイン信号を供給し、複数個の第２スキャンモジュールは複数個の第２スキャン電極に第２電圧を供給してもよい。
【００１２】
複数個のサブフィールドにおいて、第１スキャンモジュールがサステイン信号を供給する期間は、第２スキャンモジュールがサステイン信号を供給する期間と互いに異なってもよい。
【００１３】
第１スキャンモジュール及び第２スキャンモジュールの第３端子はインダクタに接続されてもよい。
【００１４】
第１スキャンモジュール及び第２スキャンモジュールの第３端子のそれぞれは、第１インダクタ及び第２インダクタに接続されてもよい。
【００１５】
第１インダクタのインダクタンスは第２インダクタのインダクタンスと異なってもよい。
【００１６】
第１スキャンモジュールおよび／または第２スキャンモジュールは二つの第３端子を含み、第１スイッチ及び第２スイッチが第１スキャンモジュールおよび／または第２スキャンモジュールの外部に位置し、第１スイッチの一方端は第１スキャンモジュールおよび／または第２スキャンモジュールの一つの第３端子に接続され、第１スイッチの他方端は第１インダクタに接続され、第２スイッチの一方端は第１スキャンモジュールおよび／または第２スキャンモジュールの他の一つの第３端子に接続され、第２スイッチの他方端は第２インダクタに接続されてもよい。
【００１７】
第１スキャンモジュールおよび／または第２スキャンモジュールは二つの第３端子を含み、第１ダイオード及び第２ダイオードは第１スキャンモジュール及び第２スキャンモジュールの外部に位置し、第１ダイオードのカソード端及びアノード端のそれぞれは、一つの第３端子及び第１インダクタに接続され、第２ダイオードのカソード端及びアノード端のそれぞれは、第２インダクタ及び他の一つの第３端子に接続されてもよい。
【００１８】
第１スキャンモジュール及び第２スキャンモジュールはスキャンドライブＩＣに集積され、第１ダイオードと第２ダイオードはスキャンドライブＩＣの外部に位置してもよい。
【００１９】
第１スキャンモジュール及び第２スキャンモジュールの第１端子は互いに接続され、第１スキャンモジュール及び第２スキャンモジュールの第３端子は互いに接続され、第１スキャンモジュールの第１端子に接続される一方端と、第２スキャンモジュールの第３端子に接続される他方端とを有する第１外部スイッチをさらに含んでもよい。
【００２０】
第１スキャンモジュール及び第２スキャンモジュールの第２端子は互いに接続され、第１スキャンモジュール及び第２スキャンモジュールの第３端子は互いに接続され、第１スキャンモジュールの第２端子に接続される一方端と、第２スキャンモジュールの第３端子に接続される他方端とを有する第２外部スイッチをさらに含んでもよい。
【００２１】
第１スキャンモジュール及び第２スキャンモジュールの第１端子は互いに接続され、第１スキャンモジュール及び第２スキャンモジュールの第３端子は互いに接続され、第２スキャンモジュールの第３端子に接続される一方端と、第１電圧まで漸進的に立ち上がる電圧を供給される他方端とを有する第１サステインスイッチをさらに含んでもよい。
【００２２】
第１スキャンモジュール及び第２スキャンモジュールの第２端子は互いに接続され、第１スキャンモジュール及び第２スキャンモジュールの第３端子は互いに接続され、第２スキャンモジュールの第３端子に接続される一方端と、第１電圧まで漸進的に立ち下がる電圧を供給される他方端とを有する第２サステインスイッチをさらに含んでもよい。
【発明の効果】
【００２３】
本発明はプラズマディスプレイ装置の無効消費電力を低減することができる。
【００２４】
また、本発明は簡単な構造を有する駆動部を含むプラズマディスプレイ装置を提供することができる。
【発明を実施するための最良の形態】
【００２５】
以下、本発明による具体的な実施形態を図面を参照して説明する。
【００２６】
図１は本発明の第１実施形態に係るプラズマディスプレイ装置を示す。図１に示されたように、本発明の第１実施形態に係るプラズマディスプレイ装置は、プラズマディスプレイパネル（Ｐ）、第１電圧供給部１１０、第２電圧供給部１２０、共振形成部１３０、エネルギー貯蔵部１４０、第１スキャンモジュール１５０及び第２スキャンモジュール１６０を含む。
【００２７】
プラズマディスプレイパネル（Ｐ）は第１スキャン電極（Ｙ１）及び第２スキャン電極（Ｙ２）を含む。図１では、第１スキャン電極（Ｙ１）及び第２スキャン電極（Ｙ２）が隣接しているが、隣接していなくてもよい。
【００２８】
第１電圧供給部１１０は、リセット期間において放電セルに壁電荷を充電させるためのセットアップ信号を供給し、アドレス期間においてスキャンバイアス電圧（Ｖｓｃ）を供給し、そしてサステイン期間において第１電圧（Ｖ１）を供給する。
【００２９】
第２電圧供給部１２０は、リセット期間においてセットアップ信号の供給後に放電セルに充電された壁電荷を消去するためのセットダウン信号を供給し、アドレス期間においてサステイン放電が発生する放電セルを選択するためのスキャン電圧（−Ｖｙ）を供給し、そしてサステイン期間において第１電圧（Ｖ１）より低い第２電圧（Ｖ２）を供給する。
【００３０】
共振形成部１３０は、サステイン期間において第１スキャン電極（Ｙ１）と第２スキャン電極（Ｙ２）の内、プラズマディスプレイパネル（Ｐ）のキャパシタ成分またはエネルギー貯蔵部１４０のキャパシタ成分と直列共振を形成する。直列共振を形成するために共振形成部１３０はインダクタ（Ｌ）を含む。
【００３１】
エネルギー貯蔵部１４０は、サステイン期間に供給／回収されたエネルギーを貯蔵する。このためにエネルギー貯蔵部１４０はキャパシタ（Ｃｓ）を含む。エネルギー貯蔵部１４０は第１電圧（Ｖ１）の０．５倍にあたる電圧を充電する。エネルギー貯蔵部１４０が０．５倍の第１電圧（Ｖ１）を共振形成部１３０を通じて供給する場合、直列共振が形成されることにより、第１スキャン電極（Ｙ１）または第２スキャン電極（Ｙ２）に第１電圧（Ｖ１）まで漸進的に立ち上がる電圧、または、第１電圧（Ｖ１）から漸進的に立ち下がる電圧が供給される。
【００３２】
第１スキャンモジュール１５０及び第２スキャンモジュール１６０は、アドレス期間中にスキャンバイアス電圧（Ｖｓｃ）が供給され、サステイン期間中に第１電圧（Ｖ１）が供給される第１端子（Ｔ１）と、アドレス期間中にスキャン電圧（−Ｖｙ）が供給され、サステイン期間に第１電圧（Ｖ１）より低い第２電圧（Ｖ２）が供給される第２端子（Ｔ２）と、サステイン期間中に漸進的に第１電圧（Ｖ１）まで立ち上がる電圧、または、第１電圧（Ｖ１）から漸進的に立ち下がる電圧が供給される一つ以上の第３端子（Ｔ３）とを含む。第１スキャンモジュール１５０は、第１スキャン電極（Ｙ１）に接続された第４端子（Ｔ４）を含み、第２スキャンモジュール１６０は、第２スキャン電極（Ｙ２）に接続された第４端子（Ｔ４）を含む。
【００３３】
第１スキャンモジュール１５０がスキャン電圧（−Ｖｙ）を第１スキャン電極（Ｙ１）に供給する場合、第２スキャンモジュール１６０はスキャンバイアス電圧（Ｖｓｃ）を第２スキャン電極（Ｙ２）に供給する。第１電圧（Ｖ１）及び第２電圧（Ｖ２）はサステイン放電を発生させるサステイン信号の最高電圧及び最低電圧であってもよい。
【００３４】
第１電圧供給部１１０は第１端子（Ｔ１）に接続されて、第２電圧供給部１２０は第２端子（Ｔ２）に接続される。共振形成部１３０は第３端子（Ｔ３）に接続される。
【００３５】
第１スキャンモジュール１５０は、リセット期間に第１端子（Ｔ１）を通じて供給されたセットアップ信号と第２端子（Ｔ２）を通じて供給されたセットダウン信号を第１スキャン電極（Ｙ１）に供給する。また、第１スキャンモジュール１５０は、アドレス期間において第２端子（Ｔ２）を通じて供給されたスキャン電圧（−Ｖｙ）を第１スキャン電極（Ｙ１）に供給する。第１スキャン電極（Ｙ１）に供給されるスキャン電圧（−Ｖｙ）に同期してプラズマディスプレイパネル（Ｐ）のアドレス電極（図示せず）にデータ信号が供給される場合、第１スキャン電極（Ｙ１）上に位置した放電セルの内でサステイン放電が発生する放電セルが選択される。
【００３６】
また、第１スキャンモジュール１５０は第１スキャン電極（Ｙ１）にサステイン信号を供給する。すなわち、共振形成部１３０のインダクタ（Ｌ）がプラズマディスプレイパネル（Ｐ）のキャパシタ成分またはエネルギー貯蔵部１４０のキャパシタ成分と直列共振を形成する場合、第４端子（Ｔ４）に接続された第１スキャン電極（Ｙ１）と第２スキャン電極（Ｙ２）の内、少なくとも一つに第１電圧（Ｖ１）まで漸進的に立ち上がる電圧、または、第１電圧（Ｖ１）から漸進的に立ち下がる電圧が供給される。また第１スキャンモジュール１５０及び第２スキャンモジュール１６０は、サステイン期間にサステイン信号の第１端子（Ｔ１）及び第２端子（Ｔ２）を通じて第１電圧（Ｖ１）と第２電圧（Ｖ２）が供給される。第１電圧（Ｖ１）は、サステイン信号の最高電圧であるサステイン電圧であってもよいし、第２電圧（Ｖ２）はサステイン信号の最低電圧であるグラウンドレベルの電圧であってもよい。
【００３７】
本発明の第１実施形態に係るプラズマディスプレイ装置の第１スキャンモジュール１５０及び第２スキャンモジュール１６０のそれぞれは、第１スイッチ乃至第４スイッチ（Ｓ１乃至Ｓ４）、第１ダイオード（Ｄ１）及び第２ダイオード（Ｄ２）を含む。
【００３８】
第１スイッチ（Ｓ１）の一方端は第３端子（Ｔ３）に接続される。これにより第１スイッチ（Ｓ１）がターンオンすれば、エネルギー貯蔵部１４０及び共振形成部１３０が直列共振を形成する。
【００３９】
第２スイッチ（Ｓ２）の一方端は第３端子（Ｔ３）に接続される。これにより第２スイッチ（Ｓ２）がターンオンすることでプラズマディスプレイパネル（Ｐ）のキャパシタ成分と共振形成部１３０が直列共振を形成する。
【００４０】
第３スイッチ（Ｓ３）一方端は第１端子（Ｔ１）に接続され、他方端は第４端子（Ｔ４）に接続される。これにより第１スイッチ（Ｓ１）のターンオフ後、第３スイッチ（Ｓ３）がターンオンすることで、第１電圧供給部１１０から供給された第１電圧（Ｖ１）が第１スキャン電極（Ｙ１）及び第２スキャン電極（Ｙ２）に供給される。
【００４１】
第４スイッチ（Ｓ４）の一方端は第２端子（Ｔ２）に接続されて、他方端は第４端子（Ｔ４）に接続される。これにより第２スイッチ（Ｓ２）のターンオフ後、第４スイッチ（Ｓ４）がターンオンすることで、第２電圧供給部１２０から供給された第２電圧（Ｖ２）が第１スキャン電極（Ｙ１）及び第２スキャン電極（Ｙ２）に供給される。
【００４２】
第１スキャンモジュール１５０及び第２スキャンモジュール１６０は、同時に第１スキャン電極（Ｙ１）及び第２スキャン電極（Ｙ２）にサステイン信号を供給するが、第１スキャンモジュール１５０と第２スキャンモジュール１６０の内、少なくとも一つがサステイン信号を供給してもよい。例えば、第１スキャンモジュール１５０がサステイン信号を供給する間に第２スキャンモジュール１６０の第４スイッチ（Ｓ４）だけがターンオンされる場合には、第２スキャンモジュール１６０はサステイン信号を供給しない。また、第２スキャンモジュール１６０がサステイン信号を供給する間に第１スキャンモジュール１５０の第４スイッチ（Ｓ４）がターンオンされる場合には、第１スキャンモジュール１５０はサステイン信号を供給しない。
【００４３】
第１スキャンモジュール１５０及び第２スキャンモジュール１６０は一つのスキャンドライブＩＣに設置されてもよい。
【００４４】
図２乃至図５は本発明の第１実施形態に係るプラズマディスプレイ装置の駆動方法を示す図である。
【００４５】
図２に示されたように、アドレス期間において偶数番目のスキャン電極（Ｙ２、Ｙ４、…）上に位置する放電セルが選択されない場合、サステイン期間において奇数番目のスキャン電極（Ｙ１、Ｙ３、…）に接続された第１スキャンモジュール１５０だけがサステイン信号を奇数番目のスキャン電極（Ｙ１、Ｙ３、…）に供給する。偶数番目のスキャン電極（Ｙ２、Ｙ４、…）に接続された第２スキャンモジュール１６０の第１乃至第３スイッチ（Ｓ１−Ｓ３）がターンオフされて、第４スイッチ（Ｓ４）がターンオンされる。これにより、第２電圧（Ｖ２）にあたるグラウンドレベルの電圧（ＧＮＤ）が偶数番目のスキャン電極（Ｙ２、Ｙ４、…）に供給される。
【００４６】
図２では奇数番目のスキャン電極（Ｙ１、Ｙ３、…）だけにサステイン信号が供給されるが、偶数番目のスキャン電極（Ｙ２、Ｙ４、…）だけにサステイン信号が供給され、奇数番目のスキャン電極（Ｙ１、Ｙ３、…）にグラウンドレベルの電圧が供給されてもよい。
【００４７】
なお、図２における図面符号Ｚは、プラズマディスプレイパネルのサステイン電極を意味する。
【００４８】
図３に示されたように、アドレス期間において第２スキャン電極グループ（Ｙｇ２）に含まれたスキャン電極上に位置する放電セルが選択されない場合、サステイン期間において第１スキャン電極グループ（Ｙｇ１）に含まれたスキャン電極に接続された第１スキャンモジュール１５０だけがサステイン信号を第１スキャン電極グループ（Ｙｇ１）に含まれたスキャン電極に供給する。第２スキャン電極グループ（Ｙｇ２）に含まれたスキャン電極に接続された第２スキャンモジュール１６０は、第２スキャンモジュール１６０の第４スイッチ（Ｓ４）だけがターンオンされることで、第２電圧（Ｖ２）にあたるグラウンドレベルの電圧（ＧＮＤ）を供給する。
【００４９】
図３では特定のスキャン電極グループにサステイン信号が供給され、残りのスキャン電極グループにサステイン信号が供給されないが、スキャン電極グループ全体にサステイン信号が供給されなくてもよい。
【００５０】
第１スキャンモジュール１５０と前記第２スキャンモジュール１６０の内、少なくとも一つはサステイン期間の少なくとも一部の期間において、第１スキャン電極と第２スキャン電極の内、少なくとも一つに第１電圧まで漸進的に立ち上がり、第１電圧から漸進的に立ち下がるサステイン信号を供給してもよい。
【００５１】
例えば、図４に示されるように、一つのサブフィールドに含まれたサステイン期間の内、少なくとも一部の期間において、スキャン電極にサステイン信号が供給される。例えば一つのスキャンモジュール（ＳＭ１）は、第１スキャン電極（Ｙ１）に一つのサブフィールドに含まれたサステイン期間全体においてサステイン信号を供給する。他の一つのスキャンモジュール（ＳＭ２）は、第２スキャン電極（Ｙ２）に一つのサブフィールドに含まれたサステイン期間全体の内、一部の期間（Ｄ１）においてサステイン信号を供給する。もう一つのスキャンモジュール（ＳＭ３）は、第３スキャン電極（Ｙ３）に一つのサブフィールドに含まれたサステイン期間全体の内、一部の期間（Ｄ２、Ｄ３）においてサステイン信号を供給してもよい。
【００５２】
複数個のサブフィールドにおいて、第１スキャンモジュールがサステイン信号を供給する期間は、第２スキャンモジュールがサステイン信号を供給する期間と互いに異なってもよい。
【００５３】
例えば、図５に示されるように、一つのスキャンモジュール（ＳＭ１）は、サブフィールド全体（ＳＦ１、ＳＦ２、ＳＦ３）に含まれたサステイン期間においてサステイン信号を第１スキャン電極（Ｙ１）に供給する。他の一つのスキャンモジュール（ＳＭ２）は、サブフィールド全体（ＳＦ１、ＳＦ２、ＳＦ３）の内、第１サブフィールド（ＳＦ１）及び第３サブフィールド（ＳＦ３）のサステイン期間において、サステイン信号を第２スキャン電極（Ｙ２）に供給する。もう一つのスキャンモジュール（ＳＭ３）は、サブフィールド全体（ＳＦ１、ＳＦ２、ＳＦ３）の内、第２サブフィールド（ＳＦ２）のサステイン期間においてサステイン信号を第３スキャン電極（Ｙ３）に供給する。
【００５４】
図２乃至図５を参照して説明したように、プラズマディスプレイパネルのすべてのスキャン電極にサステイン信号を供給するのではなく、一部のスキャン電極またはサステイン期間の一部、またはサブフィールド全体の内、一部の期間においてサステイン信号を供給するので、無効電力の消費を低減することができる。
【００５５】
また、図１の第３スイッチ（Ｓ３）及び第４スイッチ（Ｓ４）を通じて、サステイン信号だけでなく、スキャンバイアス電圧（Ｖｓｃ）及びスキャン電圧（−Ｖｙ）を供給するので、簡単な構造のプラズマディスプレイ装置を具現することができる。
【００５６】
図６は本発明の第２実施形態に係るプラズマディスプレイ装置を示す。図１のスキャンモジュール（１５０、１６０）は一つの第３端子（Ｔ３）を含むが、図６のスキャンモジュール（ＳＭ）は複数個の第３端子（Ｔ３）を含む。
【００５７】
スキャンモジュール（ＳＭ）の第３端子（Ｔ３）のそれぞれは、第１インダクタ（Ｌ１） 及び第２インダクタ（Ｌ２）に接続される。第１インダクタ（Ｌ１） 及び第２インダクタ（Ｌ２）の共通端は、エネルギー貯蔵部１４０のキャパシタ（Ｃｓ）に接続される。
【００５８】
第１インダクタ（Ｌ１）は、第１スイッチ（Ｓ１）のターンオンによってプラズマディスプレイパネル（Ｐ）のキャパシタ成分と直列共振を形成する。これにより、スキャン電極（Ｙ）に第１電圧（Ｖ１）まで漸進的に立ち上がる電圧が供給される。
【００５９】
第２インダクタ（Ｌ２）は、第２スイッチ（Ｓ２）のターンオンによってエネルギー貯蔵部１４０のキャパシタ成分（Ｃｓ）と直列共振を形成する。これにより、スキャン電極（Ｙ）に第１電圧（Ｖ１）から漸進的に立ち下がる電圧が供給される。
【００６０】
第１インダクタ（Ｌ１）と第２インダクタ（Ｌ２）のインダクタンスは互いに異なってもよい。例えば、第１インダクタ（Ｌ１）のインダクタンスが第２インダクタ（Ｌ２）のインダクタンスより小さい場合、第２電圧（Ｖ２）から第１電圧（Ｖ１）まで立ち上がる時間が減少するので、サステイン放電の強度が増す。
【００６１】
第１インダクタ（Ｌ１）のインダクタンスの大きさが第２インダクタ（Ｌ２）のインダクタンスの大きさと実質的に同一である場合、プラズマディスプレイ装置の構造が簡単になる。
【００６２】
また、第２インダクタ（Ｌ２）のインダクタンスが第１インダクタ（Ｌ１）のインダクタンスより小さい場合、第１電圧（Ｖ１）から第２電圧（Ｖ２）まで立ち下がる時間が減少するので、サステイン期間中に割り当てられるサステインパルスの個数を増加させることができる。
【００６３】
第１ダイオード（Ｄ１）のアノード端及び第２ダイオード（Ｄ２）のカソード端のそれぞれは、第１スイッチ（Ｓ１）及び第２スイッチ（Ｓ２）の一方端に接続されて、第１ダイオード（Ｄ１）のカソード端及び第２ダイオード（Ｄ２）のアノード端は互いに接続される。第１ダイオード（Ｄ１）及び第２ダイオード（Ｄ２）は、カソード端からアノード端に流れる逆電流を遮断する。
【００６４】
図６の第３スイッチ（Ｓ３）及び第４スイッチ（Ｓ４）を通じて、サステイン信号だけでなくスキャンバイアス電圧（Ｖｓｃ） 及びスキャン電圧（−Ｖｙ）を供給するので、簡単な構造のプラズマディスプレイ装置を具現することができる。
【００６５】
また、第１インダクタ（Ｌ１）と第２インダクタ（Ｌ２）がスキャンモジュール（ＳＭ）の外部に配置されるので、複数個のスキャンモジュール（ＳＭ）を一つのＩＣに容易に集積することができる。
【００６６】
また、第１インダクタ（Ｌ１）と第２インダクタ（Ｌ２）が含まれるので、一つのインダクタを通じてサステイン信号供給時に発生する熱が減少する。
【００６７】
図７は本発明の第３実施形態に係るプラズマディスプレイ装置を示す。
【００６８】
第１スキャンモジュール（ＳＭ１）及び第２スキャンモジュール（ＳＭ２）のそれぞれは、第１ダイオード（Ｄ１）、第２ダイオード（Ｄ２）、第３スイッチ（Ｓ３）及び第４スイッチ（Ｓ４）を含む。また、第１スキャンモジュール（ＳＭ１）及び第２スキャンモジュール（ＳＭ２）のそれぞれは、二つの第３端子（Ｔ３）を含む。
【００６９】
第１スイッチ（Ｓ１）及び第２スイッチ（Ｓ２）は、第１スキャンモジュール（ＳＭ１）および／または第２スキャンモジュール（ＳＭ２）の外部に位置する。
【００７０】
第１スイッチ（Ｓ１）の一方端は第１スキャンモジュール（ＳＭ１）または第２スキャンモジュール（ＳＭ２）の一つの第３端子（Ｔ３）に接続されて、第１スイッチ（Ｓ１）の他方端は第１インダクタ（Ｌ１）に接続される。
【００７１】
第２スイッチ（Ｓ２）の一方端は、第１スキャンモジュール（ＳＭ１）および／または第２スキャンモジュール（ＳＭ２）の他の一つの第３端子（Ｔ３）に接続されて、第２スイッチ（Ｓ２）の他方端は、第２インダクタ（Ｌ２）に接続される。
【００７２】
第１スキャンモジュール（ＳＭ１）及び第２スキャンモジュール（ＳＭ２）の上側に位置する第１端子（Ｔ１）は、互いに接続されて、第１スキャンモジュール（ＳＭ１）及び第２スキャンモジュール（ＳＭ２）の下側に位置する第２端子（Ｔ２）もまた互いに接続される。
【００７３】
第１スキャンモジュール（ＳＭ１）及び第２スキャンモジュール（ＳＭ２）の上側に位置する第３端子（Ｔ３）は互いに接続されて、第１スキャンモジュール（ＳＭ１）及び第２スキャンモジュール（ＳＭ２）の下側に位置する第３端子（Ｔ３）もまた互いに接続される。
【００７４】
図６のスキャンモジュール（ＳＭ）の場合、第１スイッチ（Ｓ１）及び第２スイッチ（Ｓ２）がスキャンモジュール（ＳＭ）の内部に位置するので、スキャンモジュール（ＳＭ）を構成する素子の個数が増加する。一方、図７のスキャンモジュール（ＳＭ１、ＳＭ２）の場合、第１スイッチ（Ｓ１）及び第２スイッチ（Ｓ２）が第１スキャンモジュール（Ｓ１）及び第２スキャンモジュール（Ｓ２）の外部に位置するので、スキャンモジュール（ＳＭ）を構成する素子の個数が減少する。
【００７５】
図７の第１スキャンモジュール（ＳＭ１）と第２スキャンモジュール（ＳＭ２）は、スキャンドライブＩＣ（ＳＤＩＣ）に集積してもよい。
【００７６】
図８は本発明の第４実施形態に係るプラズマディスプレイ装置を示す。 図７のプラズマディスプレイ装置では、第１スイッチ（Ｓ１）と第２スイッチ（Ｓ２）が第１スキャンモジュール（ＳＭ１）及び第２スキャンモジュール（ＳＭ２）の外部に位置しているが、図８のプラズマディスプレイ装置では、第１ダイオード（Ｄ１）と第２ダイオード（Ｄ２）が第１スキャンモジュール（ＳＭ１）及び第２スキャンモジュール（ＳＭ２）の外部に位置する。
【００７７】
また図７のプラズマディスプレイ装置は、第１スキャンモジュール（ＳＭ１）と第２スキャンモジュール（ＳＭ２）のそれぞれが第１ダイオード（Ｄ１）と第２ダイオード（Ｄ２）を含んでいるが、図８のプラズマディスプレイ装置では、一つの第１ダイオード（Ｄ１）と第２ダイオード（Ｄ２）を通じて、プラズマディスプレイ装置の動作が実行される。 したがって、第１スキャンモジュール（ＳＭ１）と第２スキャンモジュール（ＳＭ２）の素子個数を減少させることができる。
【００７８】
図８の第１スキャンモジュール（ＳＭ１）と第２スキャンモジュール（ＳＭ２）は、スキャンドライブＩＣ（ＳＤＩＣ）に集積されてもよい。
【００７９】
図９は本発明の第５実施形態に係るプラズマディスプレイ装置を示す。図８のプラズマディスプレイ装置では、第１スキャンモジュール（ＳＭ１）及び第２スキャンモジュール（ＳＭ２）が集積されたスキャンドライブＩＣ（ＳＤＩＣ）内部に、第１ダイオード（Ｄ１）及び第２ダイオード（Ｄ２）が位置しているが、図９のプラズマディスプレイ装置では、第１スキャンモジュール（ＳＭ１）及び第２スキャンモジュール（ＳＭ２）が集積されたスキャンドライブＩＣ（ＳＤＩＣ）外部に、第１ダイオード（Ｄ１）及び第２ダイオード（Ｄ２）が位置する。これにより、スキャンドライブＩＣ（ＳＤＩＣ）を構成する素子の個数を減少させることができる。
【００８０】
また、直列共振を形成するための第１インダクタ（Ｌ１）、第２インダクタ（Ｌ２）、及びスキャンドライブＩＣ（ＳＤＩＣ）とプラズマディスプレイパネル（Ｐ）の距離が近いので、電流パスの長さが短くなり、プラズマディスプレイパネルの駆動時に発生するノイズの大きさを低減することができる。
【００８１】
図１０は本発明の第６実施形態に係るプラズマディスプレイ装置を示す。
【００８２】
図１０のプラズマディスプレイ装置は、図９のプラズマディスプレイ装置と異なり、第１及び第２外部スイッチ（２６０ａ、２６０ｂ）と、第１及び第２サステインスイッチ（２７０ａ、２７０ｂ）を含む。
【００８３】
第１スキャンモジュール（ＳＭ１）及び第２スキャンモジュール（ＳＭ２）の第１端子（Ｔ１）は互いに接続され、第１スキャンモジュール（ＳＭ１）及び第２スキャンモジュール（ＳＭ２）上側の第３端子（Ｔ３）は互いに接続される。第１外部スイッチ２６０ａは、第１スキャンモジュール（ＳＭ１）の第１端子（Ｔ１）に接続される一方端と、第２スキャンモジュール（ＳＭ２）上側の第３端子（Ｔ３）に接続される他方端とを有する。第１サステインスイッチ２７０ａは、第２スキャンモジュール上側の第３端子（Ｔ３）に接続される一方端と、第１電圧（Ｖ１）まで漸進的に立ち上がる電圧が供給される他方端とを有する。
【００８４】
また、第１スキャンモジュール（ＳＭ１）及び第２スキャンモジュール（ＳＭ２）の第２端子（Ｔ２）は互いに接続され、第１スキャンモジュール（ＳＭ１）及び第２スキャンモジュール（ＳＭ２）下側の第３端子（Ｔ３）は互いに接続される。第２外部スイッチ２６０ｂは、第１スキャンモジュール（ＳＭ１）の第２端子（Ｔ２）に接続される一方端と、第２スキャンモジュール（ＳＭ２）下側の第３端子（Ｔ３）に接続される他方端とを有する。第２サステインスイッチ２７０ｂは、第２スキャンモジュール（ＳＭ２）の第３端子（Ｔ３）に接続される一方端と、第１電圧（Ｖ１）まで漸進的に立ち下がる電圧が供給される他方端とを有する。
【００８５】
第１サステイン スイッチ２７０ａは、サステイン期間にターンオンされて、第１インダクタ（Ｌ１）とプラズマディスプレイパネル（Ｐ）のキャパシタ成分との直列共振を形成する。これにより、第１スキャンモジュール（ＳＭ１）と第２スキャンモジュール（ＳＭ２）の内、少なくとも一つの第１スイッチ（Ｓ１）がターンオンする場合、第１スキャン電極（Ｙ１）または第２スキャン電極（Ｙ２）の内、少なくとも一つに第１電圧（Ｖ１）まで漸進的に立ち上がる電圧が供給される。
【００８６】
第２サステインスイッチ２７０ｂは、サステイン期間にターンオンされて、第２インダクタ（Ｌ２）とエネルギー貯蔵部１４０のキャパシタ成分（Ｃｓ）との直列共振を形成する。これにより、第１スキャンモジュール（ＳＭ１）または第２スキャンモジュール（ＳＭ２）の内、少なくとも一つの第２スイッチ（Ｓ２）がターンオンする場合、第１スキャン電極（Ｙ１）と第２スキャン電極（Ｙ２）の内、少なくとも一つに第１電圧（Ｖ１）から漸進的に立ち下がる電圧が供給される。
【００８７】
アドレス期間またはサステイン期間中に第１外部スイッチ２６０ａがターンオンされて、第１スキャンモジュール（ＳＭ１）及び第２スキャンモジュール（ＳＭ２）の第１スイッチ（Ｓ１）と第３スイッチ（Ｓ３）が同時にターンオンされる場合、スキャンバイアス電圧（Ｖｓｃ）または第１電圧（Ｖ１）が、第１スキャンモジュール（ＳＭ１）及び第２スキャンモジュール（ＳＭ２）の第１スイッチ（Ｓ１）と第３スイッチ（Ｓ３）を通じて、それぞれ第１スキャン電極（Ｙ１）と第２スキャン電極（Ｙ２）に供給される。これにより、安定的なスキャンバイアス電圧（Ｖｓｃ）または第１電圧（Ｖ１）が供給される。第１外部スイッチ２６０ａがターンオンされる場合、第１スキャンモジュール（ＳＭ１）及び第２スキャンモジュール（ＳＭ２）の第１スイッチ（Ｓ１）と第３スイッチ（Ｓ３）の内、一つがターンオンされてもよい。
【００８８】
また、アドレス期間またはサステイン期間中に第２外部スイッチ２６０ｂがターンオンされて、第１スキャンモジュール（ＳＭ１）及び第２スキャンモジュール（ＳＭ２）の第２スイッチ（Ｓ２）と第４スイッチ（Ｓ４）が同時にターンオンされる場合、スキャン電圧（−Ｖｙ）または第２電圧（Ｖ２）が、第１スキャンモジュール（ＳＭ１）及び第２スキャンモジュール（ＳＭ２）の第２スイッチ（Ｓ２）と第４スイッチ（Ｓ４）を通じて、それぞれ第１スキャン電極（Ｙ１）と第２スキャン電極（Ｙ２）に供給される。これにより、安定的なスキャン電圧（−Ｖｙ）または第２電圧（Ｖ２）が供給される。第２外部スイッチ２６０ｂがターンオンされる場合、第１スキャンモジュール（ＳＭ１）及び第２スキャンモジュール（ＳＭ２）の第２スイッチ（Ｓ２）と第４スイッチ（Ｓ４）の内、一つがターンオンされてもよい。
【００８９】
第１ダイオード（Ｄ１）及び第２ダイオード（Ｄ２）のアノード端は、それぞれ第１インダクタ（Ｌ１） 及び第２サステインスイッチ２７０ｂに接続され、第１ダイオード（Ｄ１）及び第２ダイオード（Ｄ２）のカソード端は、第１サステインスイッチ２７０ａ及び第２インダクタ（Ｌ２）に接続される。
【００９０】
第１ダイオード（Ｄ１）及び第２ダイオード（Ｄ２）は、カソード端でアノード端に流れる逆電流を遮断する。
【図面の簡単な説明】
【００９１】
【図１】本発明の第１実施形態に係るプラズマディスプレイ装置を示す図。
【図２】本発明の第１実施形態に係るプラズマディスプレイ装置の駆動方法を示す図。
【図３】本発明の第１実施形態に係るプラズマディスプレイ装置の駆動方法を示す図。
【図４】本発明の第１実施形態に係るプラズマディスプレイ装置の駆動方法を示す図。
【図５】本発明の第１実施形態に係るプラズマディスプレイ装置の駆動方法を示す図。
【図６】本発明の第２実施形態に係るプラズマディスプレイ装置を示す図。
【図７】本発明の第３実施形態に係るプラズマディスプレイ装置を示す図。
【図８】本発明の第４実施形態に係るプラズマディスプレイ装置を示す図。
【図９】本発明の第５実施形態に係るプラズマディスプレイ装置を示す図。
【図１０】本発明の第６実施形態に係るプラズマディスプレイ装置を示す図。
【図１】
2008040508.tif 000003
【図２】
2008040508.tif 000004
【図３】
2008040508.tif 000005
【図４】
2008040508.tif 000006
【図５】
2008040508.tif 000007
【図６】
2008040508.tif 000008
【図７】
2008040508.tif 000009
【図８】
2008040508.tif 000010
【図９】
2008040508.tif 000011
【図１０】
2008040508.tif 000012